【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
ビデオ番組コンテンツの受信フレームを少なくとも部分的に囲む黒色境界領域がある場合、前記黒色境界領域を検出し、前記検出された黒色境界領域のサイズを特定することと、
前記ビデオ番組コンテンツの受信フレームを囲む上部及び下部黒色境界領域の特定されたサイズの和が値よりも大きい場合、フレームバッファ、ビデオ番組コンテンツの復号化されたフレームが記憶されたビデオデコーダバッファにコピーし、二次挿入デコーダバッファを前記フレームバッファにコピーすることと、
を含む、方法。
【請求項２】
前記フレームバッファをデジタルＴＶ表示画面にレンダリングすることを更に含む、請求項１に記載の方法。
【請求項３】
前記受信ビデオコンテンツの前記フレームを囲む前記検出された黒色境界領域の前記サイズを特定することは、
デジタルテレビジョン出力のピクセル情報を読み取ることと、
前記ピクセル情報をＹＵＶ画像空間に変換することと、
黒色Ｙルミナンス値を設定することと、
連続検出期間の値を設定することと、
前記ＹＵＶ画像空間内の領域のＹルミナンス値が、前記連続検出時間の前記黒色レベルルミナンス値未満であるか否かを判断することと、
前記ビデオ番組コンテンツの前記受信フレームの前記検出された黒色境界領域が、情報挿入に十分であるか否かを判断することと、
を更に含む、請求項１又は２に記載の方法。
【請求項４】
前記ビデオ番組コンテンツは、ケーブルプロバイダ、衛星プロバイダ、ブロードキャストプロバイダ、又はＩＰＴＶプロバイダの１つから受信される、請求項１〜３のいずれか一項に記載の方法。
【請求項５】
チューナが、前記ケーブルプロバイダ、前記衛星プロバイダ、又は前記ブロードキャストプロバイダのいずれかからのビデオ番組コンテンツの受信に使用され、ＩＰ接続が、ＩＰＴＶプロバイダからのビデオ番組コンテンツの受信に使用される、請求項４に記載の方法。
【請求項６】
前記二次挿入デコーダバッファは、二次ビデオコンテンツ、広告、情報、及びアラートの１つを有する、請求項１〜３のいずれか一項に記載の方法。
【請求項７】
前記二次ビデオコンテンツはケーブルプロバイダ、衛星プロバイダ、ブロードキャストプロバイダ、及びＩＰＴＶプロバイダの１つ又は複数から受信される、請求項６に記載の方法。
【請求項８】
チューナが、前記ケーブルプロバイダ、前記衛星プロバイダ、又は前記ブロードキャストプロバイダのいずれかからの二次ビデオコンテンツの各ユニットの受信に使用され、ＩＰ接続が、ＩＰＴＶプロバイダからの二次ビデオコンテンツの各ユニットの受信に使用される、請求項７に記載の方法。
【請求項９】
プロセッサ
を含み、
前記プロセッサは、
ビデオ番組コンテンツの前記受信フレームを少なくとも部分的に囲む黒色境界領域がある場合、前記黒色境界領域を検出し、前記検出された黒色境界領域のサイズを特定することと、
前記ビデオ番組コンテンツの受信フレームを囲む上部及び下部黒色境界領域の特定されたサイズの和が値よりも大きい場合、フレームバッファ、ビデオ番組コンテンツの復号化されたフレームが記憶されたビデオデコーダバッファにコピーし、二次挿入デコーダバッファを前記フレームバッファにコピーすることと、
を行うように構成された、装置。
【請求項１０】
前記フレームバッファをデジタルＴＶ表示画面にレンダリングするように構成されたユーザインターフェース及びディスプレイを更に含む、請求項９に記載の装置。
【請求項１１】
前記受信ビデオコンテンツの前記フレームを囲む前記検出された黒色境界領域の前記サイズを特定するように構成された前記プロセッサは、
デジタルテレビジョン出力のピクセル情報を読み取ることと、
前記ピクセル情報をＹＵＶ画像空間に変換することと、
黒色Ｙルミナンス値を設定することと、
連続検出期間の値を設定することと、
前記ＹＵＶ画像空間内の領域のＹルミナンス値が、前記連続検出時間の前記黒色レベルルミナンス値未満であるか否かを判断することと、
前記ビデオ番組コンテンツの前記受信フレームの前記検出された黒色境界領域が、情報挿入に十分であるか否かを判断することと、
を行うように更に構成された、請求項９又は１０に記載の装置。
【請求項１２】
前記装置は受信デバイスである、請求項９〜１１のいずれか一項に記載の装置。
【請求項１３】
前記ビデオ番組コンテンツは、ケーブルプロバイダ、衛星プロバイダ、ブロードキャストプロバイダ、又はＩＰＴＶプロバイダの１つから受信される、請求項９〜１２のいずれか一項に記載の装置。
【請求項１４】
チューナが、前記ケーブルプロバイダ、前記衛星プロバイダ、又は前記ブロードキャストプロバイダのいずれかからのビデオ番組コンテンツの受信に使用され、ＩＰ接続が、ＩＰＴＶプロバイダからのビデオ番組コンテンツの受信に使用される、請求項１３に記載の装置。
【請求項１５】
前記二次挿入デコーダバッファは、二次ビデオコンテンツ、広告、情報、及びアラートの１つを有する、請求項９〜１２のいずれか一項に記載の装置。
【手続補正２】
【補正対象書類名】明細書
【補正対象項目名】０００３
【補正方法】変更
【補正の内容】
【０００３】
中国特許出願公開第１０３０２４３１３号には、ビデオコンテンツに従ってテレビジョンのピクチャサイズをリアルタイムで調整する方法が記載されている。中国特許出願公開第１０３５４６７１３号には、スマートテレビジョンのピクチャの比率を調整する方法及びデバイスが記載されている。中国特許出願公開第１０１５６２７１２号には、デジタルＴＶネットワークビデオ自己適応ウィンドウのインターセプション再生を実現する方法が記載されている。中国特許出願公開第１０２４９７５８５号には、テレビジョン機器の広告方法及びテレビジョン機器が記載されている。米国特許第８７４９７１０号には、ビデオ信号にオーバーレイされ、クロール、ロゴ、及びＴＶセット又はモニタに表示される画像を邪魔し乱す他の物を遮断する簡単、費用効率的、且つロバストな方法及びシステムが提供されることが記載されている。方法及びシステムは、不要な画像の存在を検出し、それらを自動的にブロックし得るか、又はハンドヘルド制御デバイスを介してユーザから手動入力を受け入れて、これらの画像をブロック又は遮断し得る。
【手続補正３】
【補正対象書類名】明細書
【補正対象項目名】００４１
【補正方法】変更
【補正の内容】
【００４１】
例示的な語句「Ａ、Ｂ、及びＣの少なくとも１つ」を使用する本願及び特許請求の範囲では、語句は、「Ａのみ、Ｂのみ、Ｃのみ、又はＡ、Ｂ、及びＣの任意の組合せ」を意味する。
上記実施形態の一部又は全部は、以下の付記のようにも記載されうるが、以下には限られない。
（付記１）
ビデオ番組コンテンツ（２０５）の受信フレームを少なくとも部分的に囲む黒色境界領域がある場合、前記黒色境界領域を検出し（２１０）、前記検出された黒色境界領域のサイズを特定することと、
前記ビデオ番組コンテンツの受信フレームを囲む上部及び下部黒色境界領域の特定されたサイズの和が値（２１５、２２０、２２５）よりも大きい場合、フレームバッファ、ビデオ番組コンテンツの復号化されたフレームが記憶されたビデオデコーダバッファにコピーし（２３０）、二次挿入デコーダバッファを前記フレームバッファにコピーする（２３５）ことと、
を含む、方法。
（付記２）
前記フレームバッファをデジタルＴＶ表示画面にレンダリングすること（２４０）を更に含む、付記１に記載の方法。
（付記３）
前記受信ビデオコンテンツの前記フレームを囲む前記検出された黒色境界領域の前記サイズを特定すること（２２０）は、
デジタルテレビジョン出力のピクセル情報を読み取ること（３０５）と、
前記ピクセル情報をＹＵＶ画像空間に変換すること（３１０）と、
黒色Ｙルミナンス値を設定すること（３２０）と、
連続検出期間の値を設定すること（３２５）と、
前記ＹＵＶ画像空間内の領域のＹルミナンス値が、前記連続検出時間の前記黒色レベルルミナンス値未満であるか否かを判断すること（３３０）と、
前記ビデオ番組コンテンツの前記受信フレームの前記検出された黒色境界領域が、情報挿入に十分であるか否かを判断すること（３４０）と、
を更に含む、付記１又は２に記載の方法。
（付記４）
前記ビデオ番組コンテンツは、ケーブルプロバイダ、衛星プロバイダ、ブロードキャストプロバイダ、又はＩＰＴＶプロバイダの１つから受信される、付記１〜３のいずれか一に記載の方法。
（付記５）
チューナが、前記ケーブルプロバイダ、前記衛星プロバイダ、又は前記ブロードキャストプロバイダのいずれかからのビデオ番組コンテンツの受信に使用され、ＩＰ接続が、ＩＰＴＶプロバイダからのビデオ番組コンテンツの受信に使用される、付記４に記載の方法。
（付記６）
前記二次挿入デコーダバッファは、二次ビデオコンテンツ、広告、情報、及びアラートの１つを有する、付記１〜３のいずれか一に記載の方法。
（付記７）
前記二次ビデオコンテンツはケーブルプロバイダ、衛星プロバイダ、ブロードキャストプロバイダ、及びＩＰＴＶプロバイダの１つ又は複数から受信される、付記６に記載の方法。
（付記８）
チューナが、前記ケーブルプロバイダ、前記衛星プロバイダ、又は前記ブロードキャストプロバイダのいずれかからの二次ビデオコンテンツの各ユニットの受信に使用され、ＩＰ接続が、ＩＰＴＶプロバイダからの二次ビデオコンテンツの各ユニットの受信に使用される、付記７に記載の方法。
（付記９）
プロセッサ（１３２０）
を含み、
前記プロセッサは、
ビデオ番組コンテンツの前記受信フレームを少なくとも部分的に囲む黒色境界領域がある場合、前記黒色境界領域を検出し、前記検出された黒色境界領域のサイズを特定することと、
前記ビデオ番組コンテンツの受信フレームを囲む上部及び下部黒色境界領域の特定されたサイズの和が値よりも大きい場合、フレームバッファ、ビデオ番組コンテンツの復号化されたフレームが記憶されたビデオデコーダバッファにコピーし、二次挿入デコーダバッファを前記フレームバッファにコピーすることと、
を行うように構成された、装置。
（付記１０）
前記フレームバッファをデジタルＴＶ表示画面にレンダリングするように構成されたユーザインターフェース及びディスプレイ（１３１０）を更に含む、付記９に記載の装置。
（付記１１）
前記受信ビデオコンテンツの前記フレームを囲む前記検出された黒色境界領域の前記サイズを特定するように構成された前記プロセッサ（１３２０）は、
デジタルテレビジョン出力のピクセル情報を読み取ること（３０５）と、
前記ピクセル情報をＹＵＶ画像空間に変換すること（３１０）と、
黒色Ｙルミナンス値を設定すること（３２０）と、
連続検出期間の値を設定すること（３２５）と、
前記ＹＵＶ画像空間内の領域のＹルミナンス値が、前記連続検出時間の前記黒色レベルルミナンス値未満であるか否かを判断すること（３３０）と、
前記ビデオ番組コンテンツの前記受信フレームの前記検出された黒色境界領域が、情報挿入に十分であるか否かを判断すること（３４０）と、
を行うように更に構成された、付記９又は１０に記載の装置。
（付記１２）
前記装置は受信デバイスである、付記９〜１１のいずれか一に記載の装置。
（付記１３）
前記ビデオ番組コンテンツは、ケーブルプロバイダ、衛星プロバイダ、ブロードキャストプロバイダ、又はＩＰＴＶプロバイダの１つから受信される、付記９〜１２のいずれか一に記載の装置。
（付記１４）
チューナが、前記ケーブルプロバイダ、前記衛星プロバイダ、又は前記ブロードキャストプロバイダのいずれかからのビデオ番組コンテンツの受信に使用され、ＩＰ接続が、ＩＰＴＶプロバイダからのビデオ番組コンテンツの受信に使用される、付記１３に記載の装置。
（付記１５）
前記二次挿入デコーダバッファは、二次ビデオコンテンツ、広告、情報、及びアラートの１つを有する、付記９〜１２のいずれか一に記載の装置。
（付記１６）
前記二次ビデオコンテンツはケーブルプロバイダ、衛星プロバイダ、ブロードキャストプロバイダ、及びＩＰＴＶプロバイダの１つ又は複数から受信され、チューナが、前記ケーブルプロバイダ、前記衛星プロバイダ、又は前記ブロードキャストプロバイダのいずれかからの二次ビデオコンテンツの各ユニットの受信に使用され、ＩＰ接続が、ＩＰＴＶプロバイダからの二次ビデオコンテンツの各ユニットの受信に使用される、付記１５に記載の装置。
（付記１７）
ビデオ番組コンテンツの受信フレームを少なくとも部分的に囲む黒色境界領域がある場合、前記黒色境界領域を検出し、前記検出された黒色境界領域のサイズを特定する手段と、
前記ビデオ番組コンテンツの受信フレームを囲む上部及び下部黒色境界領域の特定されたサイズの和が値よりも大きい場合、フレームバッファ、ビデオ番組コンテンツの復号化されたフレームが記憶されたビデオデコーダバッファにコピーし、二次挿入デコーダバッファを前記フレームバッファにコピーする手段と、
を含む装置。
（付記１８）
前記フレームバッファをデジタルＴＶ表示画面にレンダリングする手段（１３１０）を更に含む、付記１７に記載の装置。
（付記１９）
前記受信ビデオコンテンツの前記フレームを少なくとも部分的に囲む前記検出された黒色境界領域の前記サイズを特定する手段（１３２０）は、
デジタルテレビジョン出力のピクセル情報を読み取る手段と、
前記ピクセル情報をＹＵＶ画像空間に変換する手段と、
黒色Ｙルミナンス値を設定する手段と、
連続検出期間の値を設定する手段と、
前記ＹＵＶ画像空間内の領域のＹルミナンス値が、前記連続検出時間の前記黒色レベルルミナンス値未満であるか否かを判断する手段と、
前記ビデオ番組コンテンツの前記受信フレームの前記検出された黒色境界領域が、情報挿入に十分であるか否かを判断する手段と、
を更に含む、付記１７又は１８に記載の装置。
（付記２０）
前記ビデオ番組コンテンツは、ケーブルプロバイダ、衛星プロバイダ、ブロードキャストプロバイダ、又はＩＰＴＶプロバイダの１つから受信される、付記１７〜１９のいずれか一に記載の装置。
（付記２１）
チューナが、前記ケーブルプロバイダ、前記衛星プロバイダ、又は前記ブロードキャストプロバイダのいずれかからのビデオ番組コンテンツの受信に使用され、ＩＰ接続が、ＩＰＴＶプロバイダからのビデオ番組コンテンツの受信に使用される、付記２０に記載の装置。
（付記２２）
前記二次挿入デコーダバッファは、二次ビデオコンテンツ、広告、情報、及びアラートの１つを有する、付記１７〜１９のいずれか一に記載の装置。
（付記２３）
前記二次ビデオコンテンツはケーブルプロバイダ、衛星プロバイダ、ブロードキャストプロバイダ、及びＩＰＴＶプロバイダの１つ又は複数から受信され、チューナが、前記ケーブルプロバイダ、前記衛星プロバイダ、又は前記ブロードキャストプロバイダのいずれかからの二次ビデオコンテンツの各ユニットの受信に使用され、ＩＰ接続が、ＩＰＴＶプロバイダからの二次ビデオコンテンツの各ユニットの受信に使用される、付記２２に記載の装置。